(57)【要約】  本発明は、コンパクトな植物成長を示す、あるいはコンパクトな植物成長の表現型を有する観賞植物に関する。本発明はさらに、コンパクトな植物成長を示す植物を得る方法及び、コンパクトに成長する観賞植物を得るための、自殖等による、近親交配の使用に関する。具体的には、本発明は、栽培中に植物成長調節物質を使用しなくともコンパクトな植物成長を示す観賞植物に関し、栽培中に植物成長調節物質を使用しなくともコンパクトな植物成長を示すこの観賞植物は、栽培中に植物成長調節物質を使用しなくともコンパクトな植物成長を示す第１の観賞植物から栄養繁殖され、この第１の観賞植物は、栽培中に植物成長調節物質を使用しないとコンパクトな植物成長を示さない第２の観賞植物の少なくとも２世代にわたる近親交配での繁殖により得られ、この観賞植物は、ユリ科、サトイモ科、ナス科、トウダイグサ科、フウロソウ科、キク科、ラン科、バラ科、ナデシコ科及びベンケイソウ科から成る群から選択される科に属する植物から選択され、この観賞植物は、栽培中に植物成長調節物質を使用しないとコンパクトな植物成長を示さない第２の観賞植物のヘテロ接合率と比較して少なくとも２０％低いヘテロ接合率を有する。【特許請求の範囲】
【請求項１】
栽培中に植物成長調節物質を使用しなくともコンパクトな植物成長を示す第１の観賞植物から栄養繁殖され又はそれに由来し、前記第１の観賞植物は、栽培中に植物成長調節物質を使用しないとコンパクトな植物成長を示さない第２の観賞植物の少なくとも２世代にわたる近親交配での繁殖により得られ、
前記観賞植物は、ユリ科、サトイモ科、ナス科、トウダイグサ科、フウロソウ科、キク科、ラン科、バラ科、ナデシコ科及びベンケイソウ科から成る群から選択される科に属する植物から選択され、
前記観賞植物は、栽培中に植物成長調節物質を使用しないとコンパクトな植物成長を示さない前記第２の観賞植物のヘテロ接合率と比較して少なくとも２０％低いヘテロ接合率を有する、栽培中に植物成長調節物質を使用しなくともコンパクトな植物成長を示す観賞植物。
【請求項２】
前記植物がカランコエ観賞植物であり、カランコエ・アデラエ、カランコエ・アルボレセンス、カランコエ・ビウベルディ、カランコエ・ベハレンシス、カランコエ・ベンチ、カランコエ・ブロッスフェルディアナ、カランコエ・ボウベチイ、カランコエ・ブラクテアタ、カランコエ・カンパヌラタ、カランコエ・クレナタ、カランコエ・クルンダリイ、カランコエ・ダイグレモンティアナ、カランコエ・デラゴエンシス、カランコエ・ジンクラゲイ、カランコエ・エリオフィラ、カランコエ・ファリナセア、カランコエ・フェドチェンコイ、カランコエ・フィグエレイドイ、カランコエ・フラメア、カランコエ・ガストニス、カランコエ・グラウケスケンス、カランコエ・グラシリペス、カランコエ・グランディディエリ、カランコエ・グランディーフローラ、カランコエ・ヒルデブランチイ、カランコエ・ヨングマンシィ、カランコエ・キューエンシス、カランコエ・ラキニナータ、カランコエ・ラエチビレンス、カランコエ・ラテリティア、カランコエ・ラクシフロラ、カランコエ・リネアリフォリア、カランコエ・ロンギフローラ、カランコエ・ルシアエ、カランコエ・マクロクラミス、カランコエ・マンギニー、カランコエ・マルニエリアナ、カランコエ・マルモラータ、カランコエ・ミロッティー、カランコエ・ミニアータ、カランコエ・ニカエ、カランコエ・オブツーサ、カランコエ・オルギアリス、カランコエ・ペルタタ、カランコエ・ペティティアナ、カランコエ・ピンナタ、カランコエ・ポルフィロカリクス、カランコエ・プロリフェラ、カランコエ・プベスセンス、カランコエ・プミラ、カランコエ・クアルチニアナ、カランコエ・ロンボピロサ、カランコエ・ロブスタ、カランコエ・ロランジ、カランコエ・ロゼイ、カランコエ・ロツンディフォリア、カランコエ・シゾフィラ、カランコエ・セラタ、カランコエ・セキサングラリス、カランコエ・ストレプタンサ、カランコエ・スアレゼンシス、カランコエ・シンセパラ、カランコエ・シンセパラｆ．ディセクタ、カランコエ・ティルシフローラ、カランコエ・トメントサ、カランコエ・ツビフローラ、カランコエ・ユニフローラ、カランコエ・ベルチナ及びカランコエ・ビグエリーから成る群から選択され、好ましくはＫ．ブロッスフェルディアナ、Ｋ．ラキニナータ、Ｋ．ロツンディフォリア、Ｋ．アロマティカ、Ｋ．プベスセンス、Ｋ．グランディーフローラ、Ｋ．シトリナ、Ｋ．アムボレンシス、Ｋ．ファウスチイ、Ｋ．スクマケリイ、Ｋ．プリトウィトジイ、Ｋ．フラメア、Ｋ．フィグエレドイ、Ｋ．ラウヒイ、Ｋ．オブツーサ、Ｋ．プミラ、Ｋ．マルモラータ、Ｋ．ポルフィロカルクス、Ｋ．ヨングマンシィ、Ｋ．ピンナタ、Ｋ．ジアグレモンチアナ、Ｋ．グラシリペス、Ｋ．カンパヌラタ、Ｋ．ラチセペラ、Ｋ．コッシネア、Ｋ．フェドチェンコイ、Ｋ．ツビフローラ、Ｋ．デクンベンス、Ｋ．マンギニー、Ｋ．オルギアリス、Ｋ．クレナタ、Ｋ．トメントサ及びこれらの交配種から成る群から選択される装飾的な花を咲かせるカランコエ植物である、請求項１に記載の観賞植物。
【請求項３】
前記第１の観賞植物が、少なくとも３世代、好ましくは少なくとも４、より好ましくは少なくとも５、より一層好ましくは少なくとも６、最も好ましくは少なくとも７世代の近親交配での繁殖により得られる、請求項１又は２に記載の観賞植物。
【請求項４】
前記コンパクトな植物成長は、草高、花序の長さ及び植物体の幅の１つ以上として表されるコンパクトさである、請求項１−３のいずれか一項に記載の観賞植物。
【請求項５】
前記草高、花序の長さ及び植物体の幅はその前の近親交配世代（Ｆx-1）と比較して近親交配世代毎（Ｆx）に減少し、ｘは少なくとも２である、請求項４に記載の観賞植物。
【請求項６】
草高、花序の長さ及び／又は植物体の幅のＦxとＦx-1との比（Ｆx／Ｆx-1）は＜１である、請求項５に記載の観賞植物。
【請求項７】
（ａ）栽培中に植物成長調節物質を使用しなくともコンパクトな植物成長を示す第１の観賞植物を栄養繁殖させ、前記第１観賞植物は、栽培中に植物成長調節物質を使用しないとコンパクトな植物成長を示さない第２の観賞植物の少なくとも２世代にわたる近親交配での繁殖により得られる
ステップを含む、栽培中に植物成長調節物質を使用しなくともコンパクトな植物成長を示す、請求項１−６のいずれか一項に記載の観賞植物を提供する方法。
【請求項８】
近親交配が自殖を通して行われる、請求項７に記載の方法。
【請求項９】
少なくとも３世代、好ましくは少なくとも４、より好ましくは少なくとも５、より一層好ましくは少なくとも６、最も好ましくは少なくとも７世代の近親交配による繁殖を含む、請求項７又は８に記載の方法。
【請求項１０】
栽培中に植物成長調節物質を使用せずともコンパクトな植物成長を示す観賞植物を得るための、請求項１−６のいずれか一項に定義される少なくとも２世代にわたる近親交配の使用。
【請求項１１】
栽培中に植物成長調節物質を使用しないとコンパクトな植物成長を示さないカランコエ観賞植物の少なくとも２世代にわたる近親交配による繁殖で得られ、栽培中に植物成長調節物質を使用しないとコンパクトな植物成長を示さない第２のカランコエ植物のヘテロ接合率と比較して少なくとも２０％低いヘテロ接合率を有する、栽培中に植物成長調節物質を使用しなくともコンパクトな植物成長を示すカランコエ植物。
【請求項１２】
前記カランコエ植物は、カランコエ・アデラエ、カランコエ・アルボレセンス、カランコエ・ビウベルディ、カランコエ・ベハレンシス、カランコエ・ベンチ、カランコエ・ブロッスフェルディアナ、カランコエ・ボウベチイ、カランコエ・ブラクテアタ、カランコエ・カンパヌラタ、カランコエ・クレナタ、カランコエ・クルンダリイ、カランコエ・ダイグレモンティアナ、カランコエ・デラゴエンシス、カランコエ・ジンクラゲイ、カランコエ・エリオフィラ、カランコエ・ファリナセア、カランコエ・フェドチェンコイ、カランコエ・フィグエレイドイ、カランコエ・フラメア、カランコエ・ガストニス、カランコエ・グラウケスケンス、カランコエ・グラシリペス、カランコエ・グランディディエリ、カランコエ・グランディーフローラ、カランコエ・ヒルデブランチイ、カランコエ・ヨングマンシィ、カランコエ・キューエンシス、カランコエ・ラキニナータ、カランコエ・ラエチビレンス、カランコエ・ラテリティア、カランコエ・ラクシフロラ、カランコエ・リネアリフォリア、カランコエ・ロンギフローラ、カランコエ・ルシアエ、カランコエ・マクロクラミス、カランコエ・マンギニー、カランコエ・マルニエリアナ、カランコエ・マルモラータ、カランコエ・ミロッティー、カランコエ・ミニアータ、カランコエ・ニカエ、カランコエ・オブツーサ、カランコエ・オルギアリス、カランコエ・ペルタタ、カランコエ・ペティティアナ、カランコエ・ピンナタ、カランコエ・ポルフィロカリクス、カランコエ・プロリフェラ、カランコエ・プベスセンス、カランコエ・プミラ、カランコエ・クアルチニアナ、カランコエ・ロンボピロサ、カランコエ・ロブスタ、カランコエ・ロランジ、カランコエ・ロゼイ、カランコエ・ロツンディフォリア、カランコエ・シゾフィラ、カランコエ・セラタ、カランコエ・セキサングラリス、カランコエ・ストレプタンサ、カランコエ・スアレゼンシス、カランコエ・シンセパラ、カランコエ・シンセパラｆ．ディセクタ、カランコエ・ティルシフローラ、カランコエ・トメントサ、カランコエ・ツビフローラ、カランコエ・ユニフローラ、カランコエ・ベルチナ及びカランコエ・ビグエリーから成る群から選択され、好ましくはＫ．ブロッスフェルディアナ、Ｋ．ラキニナータ、Ｋ．ロツンディフォリア、Ｋ．アロマティカ、Ｋ．プベスセンス、Ｋ．グランディーフローラ、Ｋ．シトリナ、Ｋ．アムボレンシス、Ｋ．ファウスチイ、Ｋ．スクマケリイ、Ｋ．プリトウィトジイ、Ｋ．フラメア、Ｋ．フィグエレドイ、Ｋ．ラウヒイ、Ｋ．オブツーサ、Ｋ．プミラ、Ｋ．マルモラータ、Ｋ．ポルフィロカルクス、Ｋ．ヨングマンシィ、Ｋ．ピンナタ、Ｋ．ジアグレモンチアナ、Ｋ．グラシリペス、Ｋ．カンパヌラタ、Ｋ．ラチセペラ、Ｋ．コッシネア、Ｋ．フェドチェンコイ、Ｋ．ツビフローラ、Ｋ．デクンベンス、Ｋ．マンギニー、Ｋ．オルギアリス、Ｋ．クレナタ、Ｋ．トメントサ及びこれらの交配種から成る群から選択される装飾的な花を咲かせるカランコエ植物である、請求項１１に記載のカランコエ植物。
【請求項１３】
前記カランコエ植物は、少なくとも３世代、好ましくは少なくとも４、より好ましくは少なくとも５、より一層好ましくは少なくとも６、最も好ましくは少なくとも７世代の近親交配での繁殖により得られる、請求項１１又は１２に記載のカランコエ植物。
【請求項１４】
カランコエ植物を得るための、請求項１１−１３のいずれか一項に記載のカランコエ植物の使用。
【発明の詳細な説明】
【技術分野】
【０００１】
本発明は、コンパクトな成長を示す、あるいは異なって構成された、コンパクトな成長の表現型を有する観賞植物に関する。本発明はさらに、コンパクトな成長を示す植物を得る方法及び、コンパクトに成長する観賞植物を得るための、自殖等による、近親交配の使用に関する。
【背景技術】
【０００２】
観賞植物のカランコエ（Ｋａｌａｎｃｈｏｅ）は商業的に重要な室内向け鉢植え植物である。現在流通している品種は、高ヘテロ接合性の親同士の交配及びクローン増殖により得られる。これらの品種は高い成長力を示すため、商業的に求められているよりコンパクトな形状にするためには成長調節物質を与える必要がある。しかしながら、成長調節物質は規制当局により禁止されつつある。例えば、成長調節物質であるＴＩＬＴ（Ｓｙｎｇｅｎｔａ）は米国、カナダ、ドイツ及びスウェーデンで禁止されている。
【０００３】
カランコエ属はベンケイソウ（Ｃｒａｓｓｕｌａｃｅａｅ）科に属する。この属には約１４０種の種が含まれ（Ｂ．Ｄｅｓｃｏｉｎｇｓ  ｅｔ．２００３）、この属の多くの種及びそれらの種間交配種は観賞目的で栽培されている。これらの種内でも、花の形、花の色、花の大きさ、花弁の数、葉の形状及び植物の構造といった商業的に重要な特徴に関しては大きな違いがある。
【０００４】
現在流通している全てのカランコエの品種の成長力は、植物の形状をコンパクトに維持するために植物成長調節物質（ＰＧＲ）を使用することで制御する必要がある。ＰＧＲの投与のタイミングは最終的な産物の形状にとって極めて重要であるが、正しい投与時期は温度に影響される。これは、栽培業者にとって、正しい時期にＰＧＲを与えるのは困難なことを意味する。正しくない時期に定期的にＰＧＲを与えることは、栽培中の経済的損失につながる。
【０００５】
したがって、ＰＧＲなしで植物が成長できるようにカランコエ植物を繁殖させることは商業的にも関心が高い。カランコエ・ブロッスフェルディアナ（Ｋ．ｂｌｏｓｓｆｅｌｄｉａｎａ）をＡ．リゾゲネス（Ａ．ｒｈｉｚｏｇｅｎｅｓ）で形質転換するとＲｏｌ遺伝子が発現してそれが成し遂げられることは実証されている（Ｂ．Ｃｈｒｉｓｔｅｎｓｅｎ  ｅｔ  ａｌ．２００８；Ｈ．Ｌｕｔｋｅｎ  ｅｔ  ａｌ．２０１２；ＥＰ２６９８４３２  Ａ１；ＵＳ９２５３９５２；ＵＳ２０１４００５３２９７；ＵＳ２０１６００３２３１１）。しかしながら、この方法の欠点は、植物のコンパクトな成長が多くの世代にわたっては受け継がれない場合があるということである。また、細菌を感染させた植物の商業化は望ましくなく、国家及び地域の植物衛生に関する規制に準拠しない可能性がある。
【０００６】
以上に鑑みて、成長調節物質を投与することなくコンパクトな形状で成長できるカランコエ等の観賞植物を作り出すことが当該分野で必要とされている。
【発明の概要】
【０００７】
本発明の目的はとりわけ、当該分野における上記の需要を満たすことである。
【０００８】
本発明において、とりわけ上記の目的は、添付の請求項で大要が述べられている植物、方法及び使用により果たされる。
【０００９】
具体的には、本発明の上記の目的はとりわけ、栽培中に植物成長調節物質を使用しなくともコンパクトな成長を示す観賞植物を提供することで果たされ、
栽培中に植物成長調節物質を使用しなくともコンパクトな成長を示す観賞植物は、栽培中に植物成長調節物質を使用しなくともコンパクトな成長を示す第１の観賞植物から栄養繁殖、例えばクローン増殖され、この第１の観賞植物は、栽培中に植物成長調節物質を使用しないとコンパクトな成長を示さない第２の観賞植物の少なくとも２世代にわたる近親交配での繁殖により得られ、
この観賞植物は、ユリ科（Ｌｉｌｉａｃｅａｅ）、サトイモ科（Ａｒａｃｅａｅ）、ナス科（Ｓｏｌａｎａｃｅａｅ）、トウダイグサ科（Ｅｕｐｈｏｒｂｉａｃｅａｅ）、フウロソウ科（Ｇｅｒａｎｉａｃｅａｅ）、キク科（Ａｓｔｅｒａｃｅａｅ）、ラン科（Ｏｒｃｈｉｄａｃｅａｅ）、バラ科（Ｒｏｓａｃｅａｅ）、ナデシコ科（Ｃａｒｙｏｐｈｙｌｌａｃｅａｅ）及びベンケイソウ科（Ｃｒａｓｓｕｌａｃｅａｅ）から成る群から選択される科に属する植物から選択され、
この観賞植物は、栽培中に植物成長調節物質を使用しないとコンパクトな成長を示さない第２の観賞植物のヘテロ接合率と比較して少なくとも２０％低いヘテロ接合率を有する。
【００１０】
本発明において、ヘテロ接合率の低下は少なくとも２０％、例えば少なくとも２５％、３０％、３５％、４０％、５０％、５５％、６０％、７０％、７５％である。
【発明を実施するための形態】
【００１１】
発明者は驚くべきことに、幾つかの世代間で近親交配することで、安定した、すなわち遺伝的に伝達可能な、コンパクトな成長表現型が得られることを発見した。基礎を成すいずれかのメカニズムに限定することを望むものではないが、特に、コンパクトな成長という表現型が多数の遺伝的背景で観察されることを考慮すると、Ｆ３子孫における、また近親交配による繁殖又は自殖を通して生得的に起きるホモ接合率の上昇が、観察される表現型の原因であると考えられる。
【００１２】
好ましい実施形態において、本発明で見られる、栽培中に植物成長調節物質を使用しなくともコンパクトな成長は、その子孫へと安定的に受け継がれる。異なる形で構成した場合であっても、コンパクトな成長を示す植物の子孫は、この特性と同じ表現型を有する。
【００１３】
別の好ましい実施形態において、本発明の観賞植物は、少なくとも３世代（Ｆ４）、好ましくは少なくとも４（Ｆ５）、より好ましくは少なくとも５（Ｆ６）、より一層好ましくは少なくとも６（Ｆ７）、最も好ましくは少なくとも７（Ｆ８）、例えば８（Ｆ９）、９（Ｆ１０）、１０（Ｆ１１）、１１（Ｆ１２）又は１２（Ｆ１３）世代の近親交配による繁殖で得られる。
【００１４】
特に好ましい実施形態において、本発明の観賞植物は、ベンケイソウ科、より具体的にはカランコエ属に属する植物であり、カランコエ・アデラエ（Ｋａｌａｎｃｈｏｅ  ａｄｅｌａｅ）、カランコエ・アルボレセンス（Ｋａｌａｎｃｈｏｅ  ａｒｂｏｒｅｓｃｅｎｓ）、カランコエ・ビウベルディ（Ｋａｌａｎｃｈｏｅ  ｂｅａｕｖｅｒｄｉｉ）、カランコエ・ベハレンシス（Ｋａｌａｎｃｈｏｅ  ｂｅｈａｒｅｎｓｉｓ）、カランコエ・ベンチ（Ｋａｌａｎｃｈｏｅ  ｂｅｎｔｉｉ）、カランコエ・ブロッスフェルディアナ（Ｋａｌａｎｃｈｏｅ  ｂｌｏｓｓｆｅｌｄｉａｎａ）、カランコエ・ボウベチイ（Ｋａｌａｎｃｈｏｅ  ｂｏｕｖｅｔｉｉ）、カランコエ・ブラクテアタ（Ｋａｌａｎｃｈｏｅ  ｂｒａｃｔｅａｔａ）、カランコエ・カンパヌラタ（Ｋａｌａｎｃｈｏｅ  ｃａｍｐａｎｕｌａｔａ）、カランコエ・クレナタ（Ｋａｌａｎｃｈｏｅ  ｃｒｅｎａｔａ）、カランコエ・クルンダリイ（Ｋａｌａｎｃｈｏｅ  ｃｒｕｎｄａｌｌｉｉ）、カランコエ・ダイグレモンティアナ（Ｋａｌａｎｃｈｏｅ  ｄａｉｇｒｅｍｏｎｔｉａｎａ）、カランコエ・デラゴエンシス（Ｋａｌａｎｃｈｏｅ  ｄｅｌａｇｏｅｎｓｉｓ）、カランコエ・ジンクラゲイ（Ｋａｌａｎｃｈｏｅ  ｄｉｎｋｌａｇｅｉ）、カランコエ・エリオフィラ（Ｋａｌａｎｃｈｏｅ  ｅｒｉｏｐｈｙｌｌａ）、カランコエ・ファリナセア（Ｋａｌａｎｃｈｏｅ  ｆａｒｉｎａｃｅａ）、カランコエ・フェドチェンコイ（Ｋａｌａｎｃｈｏｅ  ｆｅｄｔｓｃｈｅｎｋｏｉ）、カランコエ・フィグエレイドイ（Ｋａｌａｎｃｈｏｅ  ｆｉｇｕｅｒｅｉｄｏｉ）、カランコエ・フラメア（Ｋａｌａｎｃｈｏｅ  ｆｌａｍｍｅａ）、カランコエ・ガストニス（Ｋａｌａｎｃｈｏｅ  ｇａｓｔｏｎｉｓ）、カランコエ・グラウケスケンス（Ｋａｌａｎｃｈｏｅ  ｇｌａｕｃｅｓｃｅｎｓ）、カランコエ・グラシリペス（Ｋａｌａｎｃｈｏｅ  ｇｒａｃｉｌｉｐｅｓ）、カランコエ・グランディディエリ（Ｋａｌａｎｃｈｏｅ  ｇｒａｎｄｉｄｉｅｒｉ）、カランコエ・グランディーフローラ（Ｋａｌａｎｃｈｏｅ  ｇｒａｎｄｉｆｌｏｒａ）、カランコエ・ヒルデブランチイ（Ｋａｌａｎｃｈｏｅ  ｈｉｌｄｅｂｒａｎｔｉｉ）、カランコエ・ヨングマンシィ（Ｋａｌａｎｃｈｏｅ  ｊｏｎｇｍａｎｓｉｉ）、カランコエ・キューエンシス（Ｋａｌａｎｃｈｏｅ  ｋｅｗｅｎｓｉｓ）、カランコエ・ラキニナータ（Ｋａｌａｎｃｈｏｅ  ｌａｃｉｎｉａｔａ）、カランコエ・ラエチビレンス（Ｋａｌａｎｃｈｏｅ  ｌａｅｔｉｖｉｒｅｎｓ）、カランコエ・ラテリティア（Ｋａｌａｎｃｈｏｅ  ｌａｔｅｒｉｔｉａ）、カランコエ・ラクシフロラ（Ｋａｌａｎｃｈｏｅ  ｌａｘｉｆｌｏｒａ）、カランコエ・リネアリフォリア（Ｋａｌａｎｃｈｏｅ  ｌｉｎｅａｒｉｆｏｌｉａ）、カランコエ・ロンギフローラ（Ｋａｌａｎｃｈｏｅ  ｌｏｎｇｉｆｌｏｒａ）、カランコエ・ルシアエ（Ｋａｌａｎｃｈｏｅ  ｌｕｃｉａｅ）、カランコエ・マクロクラミス（Ｋａｌａｎｃｈｏｅ  ｍａｃｒｏｃｈｌａｍｙｓ）、カランコエ・マンギニー（Ｋａｌａｎｃｈｏｅ  ｍａｎｇｉｎｉｉ）、カランコエ・マルニエリアナ（Ｋａｌａｎｃｈｏｅ  ｍａｒｎｉｅｒｉａｎａ）、カランコエ・マルモラータ（Ｋ���ｌａｎｃｈｏｅ  ｍａｒｍｏｒａｔａ）、カランコエ・ミロッティー（Ｋａｌａｎｃｈｏｅ  ｍｉｌｌｏｔｔｉｉ）、カランコエ・ミニアータ（Ｋａｌａｎｃｈｏｅ  ｍｉｎｉａｔａ）、カランコエ・ニカエ（Ｋａｌａｎｃｈｏｅ  ｎｙｉｋａｅ）、カランコエ・オブツーサ（Ｋａｌａｎｃｈｏｅ  ｏｂｔｕｓａ）、カランコエ・オルギアリス（Ｋａｌａｎｃｈｏｅ  ｏｒｇｙａｌｉｓ）、カランコエ・ペルタタ（Ｋａｌａｎｃｈｏｅ  ｐｅｌｔａｔａ）、カランコエ・ペティティアナ（Ｋａｌａｎｃｈｏｅ  ｐｅｔｉｔｉａｎａ）、カランコエ・ピンナタ（Ｋａｌａｎｃｈｏｅ  ｐｉｎｎａｔａ）、カランコエ・ポルフィロカリクス（Ｋａｌａｎｃｈｏｅ  ｐｏｒｐｈｙｒｏｃａｌｙｘ）、カランコエ・プロリフェラ（Ｋａｌａｎｃｈｏｅ  ｐｒｏｌｉｆｅｒａ）、カランコエ・プベスセンス（Ｋａｌａｎｃｈｏｅ  ｐｕｂｅｓｃｅｎｓ）、カランコエ・プミラ（Ｋａｌａｎｃｈｏｅ  ｐｕｍｉｌａ）、カランコエ・クアルチニアナ（Ｋａｌａｎｃｈｏｅ  ｑｕａｒｔｉｎｉａｎａ）、カランコエ・ロンボピロサ（Ｋａｌａｎｃｈｏｅ  ｒｈｏｍｂｏｐｉｌｏｓａ）、カランコエ・ロブスタ（Ｋａｌａｎｃｈｏｅ  ｒｏｂｕｓｔａ）、カランコエ・ロランジ（Ｋａｌａｎｃｈｏｅ  ｒｏｌａｎｄｉ）、カランコエ・ロゼイ（Ｋａｌａｎｃｈｏｅ  ｒｏｓｅｉ）、カランコエ・ロツンディフォリア（Ｋａｌａｎｃｈｏｅ  ｒｏｔｕｎｄｉｆｏｌｉａ）、カランコエ・シゾフィラ（Ｋａｌａｎｃｈｏｅ  ｓｃｈｉｚｏｐｈｙｌｌａ）、カランコエ・セラタ（Ｋａｌａｎｃｈｏｅ  ｓｅｒｒａｔａ）、カランコエ・セキサングラリス（Ｋａｌａｎｃｈｏｅ  ｓｅｘａｎｇｕｌａｒｉｓ）、カランコエ・ストレプタンサ（Ｋａｌａｎｃｈｏｅ  ｓｔｒｅｐｔａｎｔｈａ）、カランコエ・スアレゼンシス（Ｋａｌａｎｃｈｏｅ  ｓｕａｒｅｚｅｎｓｉｓ）、カランコエ・シンセパラ（Ｋａｌａｎｃｈｏｅ  ｓｙｎｓｅｐａｌａ）、カランコエ・シンセパラｆ．ディセクタ（Ｋａｌａｎｃｈｏｅ  ｓｙｎｓｅｐａｌａ  ｆ．ｄｉｓｓｅｃｔａ）、カランコエ・ティルシフローラ（Ｋａｌａｎｃｈｏｅ  ｔｈｙｒｓｉｆｌｏｒａ）、カランコエ・トメントサ（Ｋａｌａｎｃｈｏｅ  ｔｏｍｅｎｔｏｓａ）、カランコエ・ツビフローラ（Ｋａｌａｎｃｈｏｅ  ｔｕｂｉｆｌｏｒａ）、カランコエ・ユニフローラ（Ｋａｌａｎｃｈｏｅ  ｕｎｉｆｌｏｒａ）、カランコエ・ベルチナ（Ｋａｌａｎｃｈｏｅ  ｖｅｌｕｔｉｎａ）及びカランコエ・ビグエリー（Ｋａｌａｎｃｈｏｅ  ｖｉｇｕｉｅｒｉ）から成る群から選択され、好ましくはＫ．ブロッスフェルディアナ、Ｋ．ラキニナータ、Ｋ．ロツンディフォリア、Ｋ．アロマティカ（ａｒｏｍａｔｉｃａ）、Ｋ．プベスセンス（ｐｕｂｅｓｃｅｎｓ）、Ｋ．グランディーフローラ、Ｋ．シトリナ（ｃｉｔｒｉｎａ）、Ｋ．アムボレンシス（ａｍｂｏｌｅｎｓｉｓ）、Ｋ．ファウスチイ（ｆａｕｓｔｉｉ）、Ｋ．スクマケリイ（ｓｃｈｕｍａｃｈｅｒｉｉ）、Ｋ．プリトウィトジイ（ｐｒｉｔｗｉｔｚｉｉ）、Ｋ．フラメア、Ｋ．フィグエレドイ（ｆｉｇｕｅｒｅｄｏｉ）、Ｋ．ラウヒイ（ｒａｕｈｉｉ）、Ｋ．オブツーサ、Ｋ．プミラ、Ｋ．マルモラータ、Ｋ．ポルフィロカルクス（ｐｏｒｐｈｙｒｏｃａｌｕｘ）、Ｋ．ヨ���グマンシィ、Ｋ．ピンナタ、Ｋ．ジアグレモンチアナ（ｄｉａｇｒｅｍｏｎｔｉａｎａ）、Ｋ．グラシリペス、Ｋ．カンパヌラタ、Ｋ．ラチセペラ（ｌａｔｉｓｅｐｅｌａ）、Ｋ．コッシネア（ｃｏｃｃｉｎｅａ）、Ｋ．フェドチェンコイ、Ｋ．ツビフローラ、Ｋ．デクンベンス（ｄｅｃｕｍｂｅｎｓ）、Ｋ．マンギニー、Ｋ．オルギアリス、Ｋ．クレナタ、Ｋ．トメントサ及びこれらの交配種から成る群から選択される装飾的な花を咲かせるカランコエ植物である。
【００１５】
さらに別の特に好ましい実施形態において、本発明のコンパクトな植物成長は、草高、花序の長さ及び植物体の幅の１つ以上として表されるコンパクトさであり、好ましくは、草高、花序の長さ及び植物体の幅はその前の世代（Ｆx-1）と比較して世代毎（Ｆx）に減少し、最も好ましくは、草高、花序の長さ及び／又は植物体の幅のＦxとＦx-1との比（Ｆx／Ｆx-1）は＜１である。
【００１６】
本発明は、栽培中に植物成長調節物質を使用しなくともコンパクトな成長を示す本発明の観賞植物を提供する方法に関し、この方法は、
（ａ）栽培中に植物成長調節物質を使用しなくともコンパクトな成長を示す第１の観賞植物を栄養繁殖させ、この第１観賞植物は、栽培中に植物成長調節物質を使用しないとコンパクトな成長を示さない第２の観賞植物の少なくとも２世代にわたる近親交配での繁殖により得られる
ステップを含む。
【００１７】
好ましくは、本発明の方法では、近親交配するために自殖又は自家受粉を用いる。
【００１８】
本方法は、別の好ましい実施形態では、少なくとも３世代（Ｆ４）、好ましくは少なくとも４（Ｆ５）、より好ましくは少なくとも５（Ｆ６）、より一層好ましくは少なくとも６（Ｆ７）、最も好ましくは少なくとも７（Ｆ８）世代の近親交配による繁殖を含む。
【００１９】
特に好ましい実施形態において、本方法の観賞植物は、ユリ科、サトイモ科、ナス科、トウダイグサ科、フウロソウ科、キク科、ラン科、バラ科、ナデシコ科及びベンケイソウ科から成る群から選択される科に属する植物、より好ましくはカランコエであり、例えばカランコエ観賞植物は、カランコエ・アデラエ、カランコエ・アルボレセンス、カランコエ・ビウベルディ、カランコエ・ベハレンシス、カランコエ・ベンチ、カランコエ・ブロッスフェルディアナ、カランコエ・ボウベチイ、カランコエ・ブラクテアタ、カランコエ・カンパヌラタ、カランコエ・クレナタ、カランコエ・クルンダリイ、カランコエ・ダイグレモンティアナ、カランコエ・デラゴエンシス、カランコエ・ジンクラゲイ、カランコエ・エリオフィラ、カランコエ・ファリナセア、カランコエ・フェドチェンコイ、カランコエ・フィグエレイドイ、カランコエ・フラメア、カランコエ・ガストニス、カランコエ・グラウケスケンス、カランコエ・グラシリペス、カランコエ・グランディディエリ、カランコエ・グランディーフローラ、カランコエ・ヒルデブランチイ、カランコエ・ヨングマンシィ、カランコエ・キューエンシス、カランコエ・ラキニナータ、カランコエ・ラエチビレンス、カランコエ・ラテリティア、カランコエ・ラクシフロラ、カランコエ・リネアリフォリア、カランコエ・ロンギフローラ、カランコエ・ルシアエ、カランコエ・マクロクラミス、カランコエ・マンギニー、カランコエ・マルニエリアナ、カランコエ・マルモラータ、カランコエ・ミロッティー、カランコエ・ミニアータ、カランコエ・ニカエ、カランコエ・オブツーサ、カランコエ・オルギアリス、カランコエ・ペルタタ、カランコエ・ペティティアナ、カランコエ・ピンナタ、カランコエ・ポルフィロカリクス、カランコエ・プロリフェラ、カランコエ・プベスセンス、カランコエ・プミラ、カランコエ・クアルチニアナ、カランコエ・ロンボピロサ、カランコエ・ロブスタ、カランコエ・ロランジ、カランコエ・ロゼイ、カランコエ・ロツンディフォリア、カランコエ・シゾフィラ、カランコエ・セラタ、カランコエ・セキサングラリス、カランコエ・ストレプタンサ、カランコエ・スアレゼンシス、カランコエ・シンセパラ、カランコエ・シンセパラｆ．ディセクタ、カランコエ・ティルシフローラ、カランコエ・トメントサ、カランコエ・ツビフローラ、カランコエ・ユニフローラ、カランコエ・ベルチナ及びカランコエ・ビグエリーから成る群から選択され、好ましくはＫ．ブロッスフェルディアナ、Ｋ．ラキニナータ、Ｋ．ロツンディフォリア、Ｋ．アロマティカ、Ｋ．プベスセンス、Ｋ．グランディーフローラ、Ｋ．シトリナ、Ｋ．アムボレンシス、Ｋ．ファウスチイ、Ｋ．スクマケリイ、Ｋ．プリトウィトジイ、Ｋ．フラメア、Ｋ．フィグエレドイ、Ｋ．ラウヒイ、Ｋ．オブツーサ、Ｋ．プミラ、Ｋ．マルモラータ、Ｋ．ポルフィロカルクス、Ｋ．ヨングマンシィ、Ｋ．ピンナタ、Ｋ．ジアグレモンチアナ、Ｋ．グラシリペス、Ｋ．カンパヌラタ、Ｋ．ラチセペラ、Ｋ．コッシネア、Ｋ．フェドチェンコイ、Ｋ．ツビフローラ、Ｋ．デクンベンス、Ｋ．マンギニー、Ｋ．オルギアリス、Ｋ．クレナタ、Ｋ．トメントサ及びこれらの交配種から成る群から選択される装飾的な花を咲かせるカランコエ植物である。
【００２０】
本発明は、栽培中に植物成長調節物質を使用せずともコンパクトな成長を示す上記の観賞植物を得るために少なくとも２世代にわたる近親交配の使用にも関する。
【００２１】
本発明はさらに、栽培中に植物成長調節物質を使用しないとコンパクトな成長を示さないカランコエ植物の少なくとも２世代にわたる近親交配での繁殖により得られる、栽培中に植物成長調節物質を使用しなくともコンパクトな成長を示すカランコエ植物に関する。このカランコエ植物は、栽培中に植物成長調節物質を使用しないとコンパクトな成長を示さない第２のカランコエ植物のヘテロ接合率と比較して、少なくとも２０％、例えば少なくとも２５％、３０％、３５％、４０％、５０％、５５％、６０％、７０％、７５％低いヘテロ接合率を有する。
【００２２】
上記のカランコエ植物は好ましくは、カランコエ・アデラエ、カランコエ・アルボレセンス、カランコエ・ビウベルディ、カランコエ・ベハレンシス、カランコエ・ベンチ、カランコエ・ブロッスフェルディアナ、カランコエ・ボウベチイ、カランコエ・ブラクテアタ、カランコエ・カンパヌラタ、カランコエ・クレナタ、カランコエ・クルンダリイ、カランコエ・ダイグレモンティアナ、カランコエ・デラゴエンシス、カランコエ・ジンクラゲイ、カランコエ・エリオフィラ、カランコエ・ファリナセア、カランコエ・フェドチェンコイ、カランコエ・フィグエレイドイ、カランコエ・フラメア、カランコエ・ガストニス、カランコエ・グラウケスケンス、カランコエ・グラシリペス、カランコエ・グランディディエリ、カランコエ・グランディーフローラ、カランコエ・ヒルデブランチイ、カランコエ・ヨングマンシィ、カランコエ・キューエンシス、カランコエ・ラキニナータ、カランコエ・ラエチビレンス、カランコエ・ラテリティア、カランコエ・ラクシフロラ、カランコエ・リネアリフォリア、カランコエ・ロンギフローラ、カランコエ・ルシアエ、カランコエ・マクロクラミス、カランコエ・マンギニー、カランコエ・マルニエリアナ、カランコエ・マルモラータ、カランコエ・ミロッティー、カランコエ・ミニアータ、カランコエ・ニカエ、カランコエ・オブツーサ、カランコエ・オルギアリス、カランコエ・ペルタタ、カランコエ・ペティティアナ、カランコエ・ピンナタ、カランコエ・ポルフィロカリクス、カランコエ・プロリフェラ、カランコエ・プベスセンス、カランコエ・プミラ、カランコエ・クアルチニアナ、カランコエ・ロンボピロサ、カランコエ・ロブスタ、カランコエ・ロランジ、カランコエ・ロゼイ、カランコエ・ロツンディフォリア、カランコエ・シゾフィラ、カランコエ・セラタ、カランコエ・セキサングラリス、カランコエ・ストレプタンサ、カランコエ・スアレゼンシス、カランコエ・シンセパラ、カランコエ・シンセパラｆ．ディセクタ、カランコエ・ティルシフローラ、カランコエ・トメントサ、カランコエ・ツビフローラ、カランコエ・ユニフローラ、カランコエ・ベルチナ及びカランコエ・ビグエリーから成る群から選択されるカランコエ植物であり、好ましくはＫ．ブロッスフェルディアナ、Ｋ．ラキニナータ、Ｋ．ロツンディフォリア、Ｋ．アロマティカ、Ｋ．プベスセンス、Ｋ．グランディーフローラ、Ｋ．シトリナ、Ｋ．アムボレンシス、Ｋ．ファウスチイ、Ｋ．スクマケリイ、Ｋ．プリトウィトジイ、Ｋ．フラメア、Ｋ．フィグエレドイ、Ｋ．ラウヒイ、Ｋ．オブツーサ、Ｋ．プミラ、Ｋ．マルモラータ、Ｋ．ポルフィロカルクス、Ｋ．ヨングマンシィ、Ｋ．ピンナタ、Ｋ．ジアグレモンチアナ、Ｋ．グラシリペス、Ｋ．カンパヌラタ、Ｋ．ラチセペラ、Ｋ．コッシネア、Ｋ．フェドチェンコイ、Ｋ．ツビフローラ、Ｋ．デクンベンス、Ｋ．マンギニー、Ｋ．オルギアリス、Ｋ．クレナタ、Ｋ．トメントサ及びこれらの交配種から成る群から選択される装飾的な花を咲かせるカランコエ植物である。
【００２３】
特に好ましい実施形態では、上記のカランコエ植物は、少なくとも３世代、好ましくは少なくとも４、より好ましくは少なくとも５、より一層好ましくは少なくとも６、最も好ましくは少なくとも７世代の近親交配での繁殖により得られる。
【００２４】
本発明は、好ましくは栽培中に植物成長調節物質を使用せずともコンパクトな成長を示すカランコエ植物を得るための本発明のカランコエ植物の使用にも関する。本使用は、栄養繁殖又は生殖繁殖を含み得る。
【００２５】
本発明を以下の実施例においてさらに詳細に説明する。実施例においては図を参照する。
【図面の簡単な説明】
【００２６】
【図１】近親交配がコンパクトな成長に与える影響を示す、品種「パソ」の近親交配群。
【図２】２つの遺伝的に異なるコンパクトな近親交配株を交配させたところ、コンパクトな成長を示さない植物が得られることを示す。
【図３】近親交配の世代の関数としてのヘテロ接合性の系統特異的傾向（バーは標準誤差を示す）。
【実施例】
【００２７】
実施例１：コンパクトな成長を示すカランコエ植物
序論
カランコエは商業的に重要な室内向け鉢植え植物である。現在流通している品種は、高ヘテロ接合性の親同士の交配及びクローン増殖により得られる。これらの品種は高い成長力を示すため、商業的に求められているよりコンパクトな形状にするためには成長調節物質を与える必要がある。しかしながら、成長調節物質は規制当局により禁止されつつある。例えば、成長調節物質であるＴＩＬＴ（Ｓｙｎｇｅｎｔａ）は米国、カナダ、ドイツ及びスウェーデンで禁止されている。ここでは、少なくとも２世代にわたって近親交配を行うことで成長調節物質を投与せずともコンパクトな形状に成長するカランコエ品種を得るための新規な方法について説明する。
【００２８】
材料及び方法
Ｋ．ブロッスフェルディアナの変種及びカランコエ属内での種間交配種の子孫を自家受粉させ、種子を得た。種を蒔いた後、Ｆ２世代の苗を成熟（最初の開花）するまで育て、重要な農学的特性、また花の色及び形状について選択した。選択した植物の花を再度自家受粉させ、種子を蒔いた。これらの苗がＦ３世代となり、育ててＦ２世代と同じやり方で選択した。この工程を、最低でもＦ３世代繰り返す。この近親交配工程は、コンパクトな少なくとも１つの苗が得られたときに完成したと見なされる。
【００２９】
コンパクトさは以下のように決定される。
・草高。土の表面から成熟した植物の最も高いところまでを測定。
・植物の幅。植物の両側の葉の先端間の最大距離として測定。
・花序の長さ。成熟した植物の最も高い位置にあるロゼット葉柄及び最も高い位置から測定。
【００３０】
結果
Ｆ１（最初の交配種）、Ｆ２、Ｆ３、Ｆ４及び続く世代から構成される近親交配群を、市販の品種「パソ」及び「スワン」から、繰り返し自殖及び選択を行うことで作り出した。各近親交配世代からの選択された苗も栄養繁殖させた。同一サイズのさし穂を全世代から同じタイミングで作成し、根付かせ、同一条件下で育てた（１０ｃｍの鉢、温室で日長１４時間で３週間にわたって根付かせ、日長１０時間で９週間にわたって育てた）。全体として、発明者は、選択された苗が草高及び花序の長さにおいて同程度の減少を示したことに驚いた。両方のパラメータ間の比は、植物の幅のように、続く世代で完全に一定のままであった。図１の写真は、さし穂を根付かせてから１２週後に撮影したものであり、近親交配の連続した世代の効果を示す。Ｆ３世代より先では、植物は、成長調節物質を与える必要もなく、十分にコンパクトに成長する（表１）。パソ由来のＦ５からのさし穂は、品種「スワン」からの同様にコンパクトなＦ５近親交配株と交配させた（図２）。得られたＦ１交配種は最初の成長力を取り戻した。この結果は、両方のＦ５株のコンパクトさがコンパクトな植物についての反復的選択の結果ではなく、近交退化により引き起こされることを証明している（成長力の高い交配種が得られるＦ５ｘＦ５交配により否定される）。
【００３１】
【表１】
2019519240.tif 000002
2019519240.tif 000003
【００３２】
考察
観賞植物において、これは極めて新規なアプローチである。近親交配では、近交退化により、商業的には無価値の著しく発育不全の植物が生まれることが多いからである。近親交配と選択とのバランスをとることで、発明者は、植物の健康状態への近親交配の作用を回避し、その一方で商業的に価値があるコンパクトな植物を作り出すために、植物の高さに対してその作用を利用している。
【００３３】
実施例２：近親交配の世代を超えたカランコエ近親交配株のホモ接合性
序論
近親交配は、自然の中の自然な状況下、また商業的繁殖中の人工的な状況下で起きる過程である。近親交配の公知の作用の１つは遺伝的多様性の低下であり、それによりホモ接合性レベルは上昇する。
【００３４】
近親交配下のホモ接合性の上昇は一般に近親交配の負の作用として捉えられているが、発明者は、驚くべきことに、カランコエ品種の繁殖における近親交配には正の作用があることに気付いた。発明者は、この多肉多汁の植物において繰り返し近親交配を行うと、コンパクトな成長という望ましい特性が得られることに気付いた。この繰り返しの近親交配がヘテロ接合性のレベルとも相関関係にあるかを調べるために、発明者は分子遺伝学的スクリーニングを行い、近親交配の工程に沿ってヘテロ接合性のレベルを評価した。
【００３５】
材料及び方法
連続した１−４世代にわたる近親交配の結果としての２２個のカランコエ植物を、ヘテロ接合性レベルの測定値について選択した。これらの植物は４つの独立した系統由来であった。
【００３６】
全ての植物からサンプルを採取し、ＤＮＡを抽出し、ＤＮＡを、一塩基遺伝子多型（ＳＮＰ）をＫＡＳＰアッセイを用いて同定するために外部サービスプロバイダーに提出した。
【００３７】
ＳＮＰは高ＰＩＣ値（多型情報含有値；デュメン・オレンジ・カランコエ生殖質における情報マーカーの見込みを最大化する）に基づいて選択された。これらのＳＮＰのうちの７つ（独特のコンティグ上に位置し且つ多型である）を分析で用いた。これら７つのＳＮＰの結果について、発明者は、系統内の非独立性及び植物内作用を考慮した一般化線形混合モデル（ＧＬＭＭ）を用いて、繰り返される近親交配イベントの結果としてヘテロ接合性が有意に変化したか否かを分析した。
【００３８】
結果
世代を超えたヘテロ接合性の平均レベルを見る場合、１−４世代にわたる自殖間でヘテロ接合性に低下が観察された（図３、表２）。概して、ヘテロ接合性は全ての系統で低下し、系統ＫＡ１３−００００２３での低下は特に顕著であった。発明者は、世代の関数として、全てのＳＮＰについて同時に個々のヘテロ接合性をモデル化するために（ホモ接合状態は０、ヘテロ接合状態は１）二項誤差構造を用いる一般化線形混合モデル（ＧＬＭＭ）を利用した。系統及び個々のＩＤを、系統内の非独立性及び個体内観察結果を説明する、また世代を通じての系統の不均等な分布を説明する変量効果としてフィットさせた。
【００３９】
ヘテロ接合性は有意に低下した（パラメータはロジットスケールで予測；−０．７１、Ｐ＝０．０００９）。これは９５％信頼区間で５６−７６％の低下に及ぶ平均６７％のヘテロ接合度の低下を意味し、これは理論的予測値である５０％より若干高い（１／２Ｎに続いてヘテロ接合性は低下するため。Ｎは自家受粉の場合、１である）。系統ＫＡ１３−００００２３はヘテロ接合性において顕著に大きな低下を示した（二項誤差構造を用いる変量効果として個々の植物ＩＤを用いたＧＬＭＭ：パラメータ推定値：−１．５２、Ｐ＝０．００９）。
【００４０】
各ＳＮＰについて別々にヘテロ接合性における系統内変化を分析する、系統を変量効果としてフィットさせた二項誤差構造を用いたＧＬＭＭからのＳＮＰ特異的パラメータ推定値を表２に示す。各ＳＮＰについて個別にデータを分析した時、おそらくは統計的検出力が弱い結果として有意な効果は検出されなかったが、７つのＳＮＰのうち７つについて、推定値は近親交配の予測される結果、すなわち時間の経過に伴うヘテロ接合性の低下をサポートした（表２）。
【００４１】
【表２】
2019519240.tif 000004
【００４２】
結論
１−４世代の近親交配では、混合モデル統計学的アプローチを用いたロバストな分析により、４つの独立した系統について、ヘテロ接合性が有意に低下し、推定された世代間の低下は理論予測値よりずっと大きく、ヘテロ接合性の低下は系統ＫＡ１３−００００２３において劇的に強かったことが判明した。ヘテロ接合性パターンにおける全体的な低下は強力なＳＮＰ特異的パターンによりもたらされたものではない。７つ全てのＳＮＰが、繰り返される近親交配のエピソードの結果としてヘテロ接合性が低下するという予測されたパターンを示したからである。
【００４３】
参考文献
Ｂｒｉａｎ  Ｃｈｒｉｓｔｅｎｓｅｎ，Ｓｒｉｄｅｖｙ  Ｓｒｉｓｋａｎｄａｒａｊａｈ，Ｍａｒｇｒｅｔｈｅ  Ｓｅｒｅｋ，Ｒｅｎａｔｅ  Ｍｕｌｌｅｒ（２００８）Ｔｒａｎｓｆｏｒｍａｔｉｏｎ  ｏｆ  Ｋａｌａｎｃｈｏｅ  ｂｌｏｓｓｆｅｌｄｉａｎａ  ｗｉｔｈ  ｒｏｌ−ｇｅｎｅｓ  ｉｓ  ｕｓｅｆｕｌ  ｉｎ  ｍｏｌｅｃｕｌａｒ  ｂｒｅｅｄｉｎｇ  ｔｏｗａｒｄｓ  ｃｏｍｐａｃｔ  ｇｒｏｗｔｈ．Ｐｌａｎｔ  Ｃｅｌｌ  Ｒｅｐｏｒｔｓ，Ｖｏｌｕｍｅ  ２７，ｐｐ１４８５−１４９５．
Ｈｅｎｒｉｋ  Ｌｕｔｋｅｎ，Ｓａｂａ  Ｖｉｃｔｏｒｉａ  Ｗａｌｌｓｔｒｏｍ，Ｅｒｉｋ  Ｂｊｏｒｎ  Ｊｅｎｓｅｎ，Ｂｒｉａｎ  Ｃｈｒｉｓｔｅｎｓｅｎ，Ｒｅｎａｔｅ  Ｍｕｌｌｅｒ（２０１２）Ｉｎｈｅｒｉｔａｎｃｅ  ｏｆ  ｒｏｌ−ｇｅｎｅｓ  ｆｒｏｍ  Ａｇｒｏｂａｃｔｅｒｉｕｍ  ｒｈｉｚｏｇｅｎｅｓ  ｔｈｒｏｕｇｈ  ｔｗｏ  ｇｅｎｅｒａｔｉｏｎｓ  ｉｎ  Ｋａｌａｎｃｈｏｅ．  Ｅｕｐｈｙｔｉｃａ，Ｖｏｌｕｍｅ  １８８，ｐｐ３９７−４０７．
ＥＰ  ２６９８４３２  Ａ１：Ａｇｒｏｂａｃｔｅｒｉｕｍ  ｒｈｉｚｏｇｅｎｅｓ  ｔｒａｎｓｆｏｒｍａｔｉｏｎ  ａｎｄ  ｅｘｐｒｅｓｓｉｏｎ  ｏｆ  ｒｏｌ  ｇｅｎｅｓ  ｉｎ  Ｋａｌａｎｃｈｏｅ
ＵＳ  ９２５３９５２  Ｂ２：Ａｇｒｏｂａｃｔｅｒｉｕｍ  ｒｈｉｚｏｇｅｎｅｓ  ｔｒａｎｓｆｏｒｍａｔｉｏｎ  ａｎｄ  ｅｘｐｒｅｓｓｉｏｎ  ｏｆ  ｒｏｌ  ｇｅｎｅｓ  ｉｎ  Ｋａｌａｎｃｈｏｅ
ＵＳ  ２０１４００５３２９７  Ａ１：Ａｇｒｏｂａｃｔｅｒｉｕｍ  ｒｈｉｚｏｇｅｎｅｓ  ｔｒａｎｓｆｏｒｍａｔｉｏｎ  ａｎｄ  ｅｘｐｒｅｓｓｉｏｎ  ｏｆ  ｒｏｌ  ｇｅｎｅｓ  ｉｎ  ｋａｌａｎｃｈｏｅ
ＵＳ  ２０１６００３２３１１  Ａ１：Ａｇｒｏｂａｃｔｅｒｉｕｍ  ｒｈｉｚｏｇｅｎｅｓ  ｔｒａｎｓｆｏｒｍａｔｉｏｎ  ａｎｄ  ｅｘｐｒｅｓｓｉｏｎ  ｏｆ  ｒｏｌ  ｇｅｎｅｓ  ｉｎ  ｋａｌａｎｃｈｏｅ
【図１】
2019519240.tif 000005
【図２】
2019519240.tif 000006
【図３】
2019519240.tif 000007
【国際調査報告】
2019519240.tif 000008
2019519240.tif 000009
2019519240.tif 000010
2019519240.tif 000011